(57)【要約】【課題】  高められたセキュリティに対する段階的なアプローチを実現する。【解決手段】  複写保護された内容素材は、選別システムの高められたバージョンの可用性の指示のために選別され、アップグレードが実行されるまで複写保護された内容素材の処理を拒絶することにより高められた選別システムにアップグレードさせる。セキュリティ規格が変更し、更に現存の消費者製品に対して変更されたセキュリティ規格に対応するセキュリティ技術をダウンロードすることが可能である場合、新しく公表された内容素材は上述を実施する指示を含む。新しく公表された内容素材が現存の消費者装置により処理されると、消費者装置は有効な更新の指示を検出し、更新が受信されるまで新しく公表された内容素材の処理を阻止する。【選択図】  図２
2011076622.tif 000002
【特許請求の範囲】
【請求項１】
高められたセキュリティへの段階的アプローチを容易にする内容素材を選別する選別方法であって、
内容素材が複写保護規格に準拠するかどうかを確認することで、承認された内容素材を識別する段階、
前記承認された内容素材に付随するアップグレード標識子を決定する段階、
当該内容素材の選別方法に関連付けられたプログラミングコードのアップグレード状態を決定する段階、及び
前記アップグレード状態が前記アップグレード標識子と一致する場合にのみ、前記承認された内容素材を処理する段階、
を有する方法。
【請求項２】
前記アップグレード状態が前記アップグレード標識子と一致しない場合に、前記プログラミングコードのアップグレードが必要であることをユーザに通知する段階、
を更に有する請求項１記載の方法。
【請求項３】
前記複写保護規格に準拠しない内容素材の承認を決定する段階、及び
前記承認が肯定である場合に前記複写保護規格に準拠しない該内容素材を処理する段階、
を更に有する請求項１記載の方法。
【請求項４】
前記アップグレード標識子を決定する段階は、前記アップグレード標識子の帯域外周波信号により容易にされる、請求項１記載の方法。
【請求項５】
前記帯域外周波信号は、暗号技術を用いて前記内容素材に結合される、請求項４記載の方法。
【請求項６】
高められたセキュリティへの段階的アプローチを容易にする内容素材を処理するシステムであって、
前記内容素材の複写保護規格への準拠に基づいて、承認された内容素材を識別する、よう構成されたフォーマット確認部、
前記承認された内容素材に付随するアップグレード標識子と当該システムのアップグレード状態とに基づいて、当該システムに関するアップグレードステータスを決定する、よう構成された状態決定部、
前記アップグレードステータスに依存して前記承認された内容素材を処理するよう構成されたプロセッサ、
を有するシステム。
【請求項７】
前記アップグレードステータスに依存して当該システムのアップグレードが必要であることを通知するよう構成された通知装置、を更に有する請求項６記載のシステム。
【請求項８】
前記内容素材に付随するセキュリティマークを検出するよう構成された複写保護検出器を更に有し、
前記プロセッサは更に、前記セキュリティマークに依存して前記内容素材を処理するよう構成される、
請求項６記載のシステム。
【請求項９】
前記アップグレード標識子は、前記内容素材に関連して帯域外周波信号に対応する、請求項６記載のシステム。
【請求項１０】
前記帯域外周波信号は暗号技術を用いて前記内容素材に結合される、請求項９記載のシステム。
【発明の詳細な説明】
【技術分野】
【０００１】
本発明は、消費者電子機器、特に複写保護された素材の選別技術の分野に関連する。
【背景技術】
【０００２】
デジタル記録は、もとの内容素材と等しい品質を有する内容素材に複写する独特の特性を有する。従って、デジタルで記録された内容素材を保護するための効果的な複写保護スキームの必要性が特に重要である。内容素材を暗号形式で記録する多くの保護スキームが開発又は提案されている。内容素材の再生又は再現を制御する暗号化された鍵を記録する他の保護スキームも開発され又は提案されている。これらの方法のうちの多くでは、再生又は記録装置内に違法複写の再現又は記録を阻止するスクリーン又はフィルタを組込むことにより、複写保護された素材の違法な複写の有用性又は価値を最小限にする試みが行なわれている。現在、多くの代替技術が利用可能であり、更に多くの他の技術が開発されているので、複写保護された素材の供給者及び消費者電子装置の販売業者による単一の保護スキームの採用は、今までもこれからも難題である。
【０００３】
Secure  Digital  Music  Initiative（ＳＤＭＩ）は、複写保護された素材の違法複写を選別する高められた方法への段階的なアプローチを提案した。つまり、多くのセキュリティシステムはプログラミングコードの中に組込まれているので、開発及び標準化された他のセキュリティ手段を実行するようセキュリティシステムをアップグレードすることは比較的容易である。そのようなアップグレードは、ユーザに交換用のメモリ装置を送ったり、ユーザがインターネットのサイトから新しいプログラミングコードをダウンロードすることにより達成される。複写保護された素材は、例えば複写保護された素材であることを示す指示又はマークを初めから含み、或いは幾つかの場合、素材が改ざんされたことを示すマークを含む。例えば、マークは、内容素材が圧縮されるべきでない場合に圧縮形式に変換されたことを示す。再生装置は、そのようなマークを含み、適切なＳＤＭＩ承認を含まない場合は内容素材を再生しない。参照し易くするために、内容素材に対して適切なＳＤＭＩ承認を含まない内容素材は「非ＳＤＭＩ」、又は「ＮＳＤＭＩ」と称する。更に、理解し易くするためにＳＤＭＩのアプローチは、ここでは保護スキームへの段階的アプローチを用いるセキュリティシステムの範例として使用する。
【０００４】
従来のＳＤＭＩ選別処理１００を図１に示す。ユーザ素材１０１が処理１００により受信され、適切なＳＤＭＩ承認を有する素材であるかどうかを決めるために検査される。適切なＳＤＭＩ承認を有する場合、ＳＤＭＩ素材は、図１に示す再生装置又は記録装置の処理構成要素１２０（「ＳＤＭＩ機能」）に供給される。ＳＤＭＩ機能１２０は素材を処理し、装置に接続された目的出力１２１を供給する。つまり、再生装置は音響装置を介して素材を再現し、記録装置は素材を典型的に安全な形式で他の媒体、例えば記録可能なＣＤ等に記録する。
【０００５】
ステップ１１０において、素材１０１が適切なＳＤＭＩ承認を含まない場合、マーク検出ステップ１３０においてマークのある素材１０１が選別される。素材１０１が上述のマークを含まない場合、素材は複写保護された素材ではないと判断され、従って自由に再生又は記録可能である。複写保護された素材は、素材を破壊する又は素材の品質を著しく劣化させることなく取り除くことのできない、例えば「透かし（Watermark）」を使用してマークされる。ステップ１３０において透かしが検出されない場合、ユーザ素材１０１は複写保護されていない可能性が高い。そのような素材は、透かしの使用が採用される前に供給された市販の素材、又は個人的に記録したもの若しくは意図的に複写保護されていない他の記録である。ステップ１３０においてマークが見つからない場合、素材１０１は前処理ステップ１７０において、ＳＤＭＩ機能１２０を介する次なる再現又は他の処理のためにＳＤＭＩ適合となるよう処理される。現行の複写保護検査のような通常使用される他のセキュリティ検査もユーザ素材１０１の有効性を決めるためにステップ１３０において適用され得る。同様にＳＤＭＩ機能１２０は、出力１２１を供給するかどうかを決めるために使用される更なる保護機能を含む場合もある。
【０００６】
状態ステップ１４０において、素材１０１が違法である又は潜在的に違法であると決定されると、処理１００の状態は、処理１００がセキュリティスクリーンのフェーズＩＩを含むかどうかが査定される。つまり、上述のセキュリティマークはフェースＩＩのセキュリティスクリーンが利用可能であることを示す指示を含む。このマークを有する内容素材の違法複写が作られる場合、複写にもマークが含まれる。従って、違法複写のユーザが違法複写から再生又は記録しようとするとステップ１４０における検査によってこの指示が検出され、ステップ１５０においてユーザにユーザ素材１０１を再現するには問題があることを通知し、更にユーザのシステムをアップグレードすることが可能であることをユーザに通知する。この通知に応答してユーザがユーザのシステムをアップグレードすると、選別及び拒絶ステップ１６０に示されるように進歩した選別技術が供給される。つまり、ユーザがフェーズＩＩシステムにアップグレードすると、ステップ１６０はメモリ装置アップブレード、インターネットサイトからのダウンロード等により供給又はアップグレードされる。ＳＤＭＩ機能ステップ１２０、マーク検出ステップ１３０、及び前処理ステップ１７０などの他のステップもアップグレードにより高められ又は変更される。以後の違法素材の再現又は処理の試みは、これらの高められたセキュリティ技術の影響を受ける。例えば、高められた技術のうちの１つに違法素材のソースを追跡することが期待される。つまり、例えば将来の記録又は供給システムは、各供給された素材に独自の標識子を付加し、その標識子により素材が識別される。例えばウェブサイトからダウンロードされた素材はウェブサイト名を含む。そのような素材が違法である場合、ステップ１６０は「この素材はサイトｘｘｘ．ｃｏｍから違法に取得されており、実行者の使用権利が剥奪されています。ｘｘｘ．ｃｏｍから素材を購入することは控えてください。」などのメッセージを与える。このような方法により、違法素材を意図的ではなく購入する購入者に対して識別されたサイトから受信する製品の本質が通知され、この購入者は所望の素材のために別のソースを探すであろう。最終的に、違法素材の識別された供給者は、承認された供給者に対し顧客基盤を失うこととなり、更に違法素材を、減少する顧客基盤に供給することが経済的に不可能となり、違法作業を止めざるを得なくなる。更に、進歩したシステムはこの情報を中央当局に伝達するよう構成され、従って将来における損失を防止するための防止手段を講ずることが可能となる。
【発明の概要】
【発明が解決しようとする課題】
【０００７】
本発明は、複写保護された素材の違法複写を選別する段階的アプローチの効果を改善することを目的とする。この目的のために、本発明は、独立項に記載される内容を選別する方法と、内容素材を処理するシステムを提供する。有利な実施例は従属項に記載する。
【０００８】
本発明は、図１に示す従来の段階的アプローチを幾らか実行した後に、複写保護された素材の複写を違法に得た意図的なユーザは、例えばインターネットを介して「言葉を広げ」、違法素材の意図的及び非意図的なユーザの両方にアップグレードすることが危険であるということを知らせるという観察に基づく。以後システムを自発的にアップグレードする人の数は減少するであろうし、進歩したセキュリティへの段階的なアプローチは失敗する可能性が高い。
【課題を解決するための手段】
【０００９】
本発明の実施例は、選別システムの高められたバージョンの可用性を検査し、現行の規格に準拠する素材が処理される場合に、進歩した選別システムにアップグレードさせる。セキュリティ規格が変更し、対応するセキュリティ技術が現行の消費者装置にダウンロードすることが可能である場合、新しく公表される内容素材はその効果を示す指示を含む。新しく公表された内容素材が現行の消費者装置により処理されると、消費者装置は有効な更新の指示を検出し、更新を受信するまで新しく公表された内容素材が処理されることを阻止する。このような方法により、高められたセキュリティへの段階的アプローチを実行することが可能である。
【図面の簡単な説明】
【００１０】
【図１】従来の複写保護された内容素材の違法複写の選別処理を示す図である。
【図２】本発明による複写保護された内容素材の違法複写の選別処理を示す図である。
【図３】本発明による複写保護された内容素材の違法複写を選別するシステムを示すブロック図である。
【発明を実施するための形態】
【００１１】
本発明を、添付図面を参照し例によってより詳細に説明する。
【００１２】
図面を通して、同じ符号は同様の若しくは対応する特徴又は機能を示す。
【００１３】
上述されたように、従来のセキュリティ手段への段階的アップグレード方式は、複写保護された素材の違法複写を再生するか又は処理することを試みたユーザに段階的にアップグレードすることを強要する。つまり、複写保護の施行の非侵入的なアプローチと一貫して、従来のアプローチは、ユーザが間違いを犯すまでユーザに負担を課さない。このアプローチは最小限に侵入的であるが、最小限に効果的であるという可能性も有する。不法行為者が自分たちのシステムをアップグレードさせることは自分たちに利点を与えないと決めると、不法行為者はアップグレードすることを止める。今日、メッセージは事実上世界中に人口の多くに対して効果的に伝達することが可能なので、不法行為者は他の人々、特に認識していない不法行為者にも影響を与えることが可能であり、彼等もアップグレードすることを止める。従って、アップグレードすることに具体的な利点を供給しない図１に示す従来のアップグレード方式は失敗する可能性がある。
【００１４】
図２は、本発明の複写保護された内容素材の違法複写の選別処理２００の実施例を示す。この実施例の選別処理２００では、複写保護された素材の合法複写のユーザに負担を課すが、この負担は決定的に重要なものではないと考えられる。図１に示されるように、ユーザ素材１０１がステップ１１０においてＳＤＭＩ承認の有無が検査される。素材１０１が複写保護された素材のＳＤＭＩ承認された複写である場合、検査ステップ２２０においてシステムのアップグレードステータスが検査される。ＳＤＭＩ承認された素材はシステムにダウンロードするために現在利用可能なアップグレード方法のフェーズの指示を含む。システムの現在の状態がこの段階に更新されていない場合、ユーザは、通知ステップ１５０においてシステムをアップグレードすることを通知される。或いは、システムの現在の状態が指示された段階以上の段階の場合、システムは最新であり、ＳＤＭＩ承認された素材は再現１２１又は他の処理のためにＳＤＭＩ機能１２０に供給される。
【００１５】
システムが最新でない場合、ＳＤＭＩ機能１２０へのアクセスを阻止し、システムをアップグレードさせるユーザへの「誘因（インセンチブ）」はより高いアップグレード指示を有する新しい内容素材の再現である。このような方法により、ユーザは段階的セキュリティアップグレード処理の各段階においてシステムをアップグレードさせることを続ける可能性が高くなる。システムを予期せずに、又は不都合にアップグレードすることに対する「驚き」の要素を緩和するために、内容素材のパッケージングには適用可能なアップグレードレベルの指示を含み、ユーザは新しく得られた内容素材を再現又は処理することを試みる前にアップグレードを行うことが可能である。当業者には一般的である別の技術、例えば電子メールメッセージ等によるユーザへの新しいアップグレードの自動通知などを使用することも可能である。
【００１６】
図１の処理に示されるように、典型的に複写保護マーキング、例えば透かしを有さない素材の複写であるＳＤＭＩ承認されていない非ＳＤＭＩ素材の合法複写（ＳＤＭＩ（Ｌ））は、ステップ１３０で識別され、ステップ１７０においてＳＤＭＩ処理のために事前に処理される。非ＳＤＭＩ素材の非合法複写（ＳＤＭＩ（ＮＬ））は典型的に、複写保護マーキングを有するが適切なＳＤＭＩ承認を有さない内容素材の複写であり、通知ステップ２６０において再現又は他の処理が拒絶される。処理は、システムの現在のアップグレード状態に依存する。つまり、例えばシステムが違法素材のソースを識別するようアップグレードされていると、ステップ２６０における処理は、図１に関連して説明された「ｘｘｘ．ｃｏｍからの素材を購入しないように」のメッセージを含む。
【００１７】
図３は、本発明の複写保護された内容素材の違法複写を識別するシステム３００を示すブロック図である。フォーマット確認部３１０は、内容素材１０１が承認された内容素材であるかどうかを、例えばＳＤＭＩによって確立された規格を使用して確認する。ステータス決定部３２０は承認された内容素材３１１からアップグレード状態標識子を抽出し、アップグレードステータス３２１を生成するために、アップグレード状態標識子をシステムのアップグレード状態３０２と比較する。上述されたように、アップグレード状態標識子は内容素材１０１と関連付けられており、好適には暗号化されて素材１０１に結合され、システムに利用可能なアップグレードのバージョンを示す。バージョン標識子は典型的に内容素材１０１が作られたときに入手可能である最新のバージョンである。この発明のコンテキストにおいて、アップグレードバージョン標識子は複写保護システムにおける複写保護の新しい段階の識別を容易にするが、ここに示される原則は別のアップグレード方法及びアプリケーションにも適用することが可能である。図１に示されるような従来のアップグレード処理において、アップグレード状態標識子は内容素材に対して「帯域内周波」信号として符号化されることを明記する。つまり、状態標識子は従来から内容素材内で符号化され、従って内容から容易に取り除くことができない。一方、本発明では、状態標識子は内容素材が承認されていると確認された後に決められるので、それを取り除く誘因はほとんど又は全くない。或いは、フォーマット確認部３１０は、素材が承認されていることを決める以前に状態標識子が存在することを保証するよう構成することも可能である。従って、本発明の状態標識子は、帯域外周波信号として符号化でき、当業者には一般的であるが従来の帯域内周波信号よりも容易に抽出及び決定することが可能である。更なるセキュリティ手段として、実施例の状態標識子は、デジタル署名技術又は同様のセキュリティ手段を使用する内容素材に結合される。
【００１８】
プロセッサ３３０は、アップグレードステータス３２１に依存して内容素材１０１を処理する。システムのアップグレード状態３０２が内容素材１０１に関連付けられたアップグレード状態標識子から決められたレベル以上である場合、プロセッサ３３０は再現出力１２１を供給するよう内容素材１０１を処理する。受容可能なアップグレードステータス３２１は承認された内容素材３１１からのみ構成されることに留意する。アップグレードステータス３２１は更に、システム３００が内容素材１０１に含まれた状態標識子に対して最新でない場合にユーザに通知する通知装置３４０に供給される。
【００１９】
内容素材１０１が承認されていない３１２場合、このことは素材が違法であることを示すとは限らない。複写保護検出器３５０は、承認されていない内容素材３１２上の例えば、透かしのような複写保護スキームの有無を検出するよう構成される。承認されていない内容素材３１２が複写保護マークを含む場合、その素材は複写保護された素材の違法複写であり、複写保護フラグが表明３５１された場合に、プロセッサ３３０は内容素材１０１の再現又は他の処理を行うことを阻止し、更に通知装置３４０を使用してアップグレードすることを選択的に推薦するよう構成されている。反対に、承認されていない素材３１２が複写保護マークを含まない場合、複写保護検出器３５０は複写保護フラグを主張せず、プロセッサ３３０は制約されることなく内容素材１０１を再現又は処理する。
【００２０】
上述は本発明の原則を説明するものに過ぎない。当業者には、ここでは説明又は図示されなかった本発明の原則を具体的に表し、従って本発明の範囲内である様々な配置を想到することが可能であろう。例えば、検査ステップ２２０又はプロセッサ３３０は、ユーザ素材１０１を最新でないアップグレードに基づいての再現又は他の処理を阻止する前に、ユーザ素材１０１を限定された回数だけ再現又は処理すること可能にするよう構成される場合もある。つまり、システムはシステムをアップグレードさせる必要があることを示すメッセージを表示し、その後で５回再生された後により高いアップグレード状態の内容素材を再現するよう止まる。反対に、検査ステップ２２０又はプロセッサ３３０は最新でないアップグレード状態を最初に決めた以降の内容素材１０１の処理を阻止するよう構成されうる。つまり、検査ステップ２２０は後続のユーザ素材１０１のアップグレード標識子に関係なく、機能１２０への次なるアクセスを阻止する。これらのアプローチ、或いは他のアプローチの組合わせは当業者には明らかであろう。上述のシステム構成及び他のシステム構成と最適な特徴は本発明の開示を視野に入れた当業者には明らかであり、更に本発明の請求項の範囲内に含まれるものとする。
【００２１】
請求項において、括弧内にある符号は請求項を制限するものではないとする。「含む」という表現は、請求項に列挙された要素又は段階以外の他の要素又は段階の存在を排除するものではない。本発明は、数個の別個の要素を含むハードウェア及び適切にプログラムされたコンピュータにより実施されうる。幾つかの手段を列挙する装置の請求項において、これらの手段のうちの幾つかの手段は１つの同じハードウェアにより実行されうる。幾つかの方法は互いに異なる独立請求項に記載されるが、これらの方法の組合わせを有利に使用することができないことを示すものではない。
【００２２】
まとめとして、複写保護された内容素材は、選別システムの高められたバージョンの可用性の指示のために選別され、アップグレードが実行されるまで複写保護された内容素材の処理を拒絶することにより高められた選別システムにアップグレードさせる。セキュリティ規格が変更し、更に現存の消費者製品に対して変更されたセキュリティ規格に対応するセキュリティ技術をダウンロードすることが可能である場合、新しく公表された内容素材は上述を実施する指示を含む。新しく公表された内容素材が現存の消費者装置により処理されると、消費者装置は有効な更新の指示を検出し、更新が受信されるまで新しく公表された内容素材の処理を阻止する。このような方法により、高められたセキュリティに対する段階的なアプローチが実現される。
【図１】
2011076622.tif 000003
【図２】
2011076622.tif 000004
【図３】
2011076622.tif 000005